(57)【要約】【課題】埋設電路設備からの需要家へのケーブルの引込接続作業を簡単確実に施工でき、しかも、その接続工事の短縮化を図れるようにする。【解決手段】埋設電路設備Ｍの側壁に開口形成したノックアウトＮから引出通線させるケーブルＣを収納し保護する管路材Ｐを埋設電路設備Ｍに取り付ける。そのため、埋設電路設備Ｍの内側からノックアウトＮを閉塞してノックアウトＮの内部に配し、埋設電路設備Ｍに対して所定の角度で傾斜させた管路材Ｐを係止連結するボックス状の連結体２と、管路材Ｐを連結体２に固定させる固定バンド１０と、埋設電路設備Ｍの外側からノックアウトＮに掛け渡した支持板１３を連結体２に連繋して埋設電路設備Ｍの側壁を連結体２、支持板１３によって内外から挟み込む連繋手段１５とを備える。連結体２は、埋設電路設備Ｍに対して所定の角度で傾斜させて管路材Ｐを連結する傾斜連結部４を有する。【選択図】図１
2020178397.tif 000002
【特許請求の範囲】
【請求項１】
埋設電路設備の側壁に開口形成したノックアウトから引出通線させるケーブルを収納し保護する管路材を埋設電路設備に取り付ける管路材用取付装置であって、埋設電路設備の内側からノックアウトを閉塞してノックアウト内に配され、埋設電路設備に対して所定の角度で傾斜させた管路材を係止連結するボックス状の連結体と、連結体に連結された管路材を連結体に固定させる固定バンドと、埋設電路設備の外側からノックアウトに掛け渡された支持板を連結体に連繋して埋設電路設備の側壁を連結体、支持板によって内外から挟み込む連繋手段とを備えることを特徴とする埋設電路設備の管路材用取付装置。
【請求項２】
連結体は、ノックアウトにおける埋設電路設備の内側からノックアウトの開口を覆うボックスベースに、埋設電路設備に対して所定の角度で傾斜させて管路材を連結する傾斜連結部と、埋設電路設備における側壁の内外面にほぼ平行させて傾斜連結部に連続している支持固定部と、この支持固定部をボックスベースに連続させている連続部と、これらの傾斜連結部、支持固定部、連続部の側部を閉塞している閉塞部とを一体状に形成して成る請求項１に記載の埋設電路設備の管路材用取付装置。
【請求項３】
傾斜連結部は、ボックスベースに対してほぼ４５度の傾斜角度で連続していて、連結する管路材の外径に対応している筒状の挿通筒を傾斜連結部自体の外方に向けて一体状に設けてある請求項１または２に記載の埋設電路設備の管路材用取付装置。
【請求項４】
支持固定部は、ボックスベースからノックアウトの深さに比し大きくはない間隔の位置に設けられている請求項１乃至３のいずれかに記載の埋設電路設備の管路材用取付装置。
【請求項５】
固定バンドは、傾斜連結部の挿通筒の開口縁に沿って接続配置されたＣ字状に彎曲形成されていて、開口端縁には、対峙状に配されて相互間で締結される締結片を設けてある請求項１乃至４のいずれかに記載の埋設電路設備の管路材用取付装置。
【発明の詳細な説明】
【技術分野】
【０００１】
本発明は、例えば無電柱化の整備に伴い地中に埋設される各種の埋設電路設備において、ハンドホール、ケーブルトラフその他から需要家への各種ケーブル等の引込工事の実施に際し、ケーブルトラフ等からの引込接続作業を簡単確実に施工でき、その接続工事の短縮化を図れるようにした埋設電路設備の管路材用取付装置に関する。
【背景技術】
【０００２】
従来から、地中に埋設される管路材によって各種ケーブルを配線することで無電柱化とするインフラ整備が進められている。ケーブルが埋設されると、需要家への引込部位では、例えばハンドホール、ケーブルトラフ等が配置されてそのケーブルトラフ等の側壁を経て需要家に繋がる引込ケーブルを接続している。引込ケーブルを接続引き出すには、ケーブルトラフ等の側壁に引き出し用のノックアウト、スリーブ孔を開口形成し、この開口形成したノックアウト等に、引込ケーブルを挿通させて覆うＥＰ管、螺旋管等の管路材を連結するのであり、ノックアウト等との間隙にはモルタル等を充填することによって固定している。ただ、接続作業後に埋め戻すとき、モルタル等の充填材の凝固養生のための一定の待機時間を必要とするから、開削工事を含めても短時間で処理する必要がある例えば商店街等で実施する夜間の作業時間等が制約されている場所では極めて不都合である。
【０００３】
こうした点から例えば特許文献１に示される管材接続具あるいは特許文献２に示される保護管の取付具が提案されている。特許文献１の管材接続具は、接続させる波付管材の管端内にハンドホール内側から装入したベルマウスと、波付管材の外側に装着したソケットを締め付ける回転ロック体とによって波付管材を貫通穴に固定するとする。特許文献２の取付具は、ケーブルトラフの如き電線収容設備の側壁に形成した開口に配置されるもので、この取付具は、開口内に配されるように外側に突出する山形ボックス状の第１板部に、保護管を接続させる取付孔を形成すると共に、第１板部の両脇には電線収容設備の内側の開口縁に係止する第１係止部である係止板部を両側部に設け、第１板部の閉塞板部に設けたＬ字状の係止板部に電線収容設備の外側の開口縁面に圧止するネジ状の第２係止部である押さえ部をねじ止めして成る。
【先行技術文献】
【特許文献】
【０００４】
【特許文献１】特開２０１８−１８３００２号公報
【特許文献２】特開２０１９−２２２９０号公報
【発明の概要】
【発明が解決しようとする課題】
【０００５】
ところが、特許文献１の管材接続具によると、管路材となる波付管材はハンドホールに対してほぼ直交状態で連結されるから、現場における管路構成によっては例えば狭隘な場所等の施工で管路を急激に曲げなければならない場合等に、管路材によっては曲げ半径を小さくできず、これに対処するよう例えば引き出し形態を斜交させる必要があっても、このような状況に対応するには困難である。
【０００６】
特許文献２の取付具によると、取付孔に連結した保護管によって電線を電線収容設備から引き出し通線させることで、電線収容設備から斜行させて管路を構成するには好適である。しかしながら、電線収容設備に設けた開口の内側に係止した第１係止部と、開口の外側にねじ止め圧止する第２係止部とによって電線収容設備の側壁を挟み込み固定するとしても、開口の内縁と取付具における第１板部の外側縁との間には隙間が生じるから、この隙間にパテや接着剤等の間詰め材を充填して水等の浸入を防止しなければならない。これらの間詰め材等を充填する場合、その凝固には養生のためのある程度の時間を必要とするから、その後に実施される埋め戻し作業等には待機せざるを得ず、その結果、需要家に対する電線の引き出し作業には時間を要し、例えば夜間等の時間的に制約があるとき等には工期の短縮化は困難であった。
【０００７】
そこで本発明は叙上のような従来存した諸事情に鑑み創出されたもので、主として地中に埋設されるハンドホール・マンホール、ケーブルトラフ等の如き埋設電路設備から需要家に引込用電路を構築する場合に、狭隘な場所でも対応できるように様々な種類の管路材を埋設電路設備に対し斜交状に連結固定でき、しかも開削作業に続く配管設置後の作業、その埋め戻し作業等に際し面倒な手間を掛けることなく、短時間で処理できるようにした埋設電路設備の管路材用取付装置を提供することにある。
【課題を解決するための手段】
【０００８】
上述した課題を解決するため、本発明にあっては、埋設電路設備Ｍの側壁に開口形成したノックアウトＮから引出通線させるケーブルＣを収納し保護する管路材Ｐを埋設電路設備Ｍに取り付ける管路材用取付装置であって、埋設電路設備Ｍの内側からノックアウトＮを閉塞してノックアウトＮ内に配され、埋設電路設備Ｍに対して所定の角度で傾斜させた管路材Ｐを係止連結するボックス状の連結体２と、連結体２に連結された管路材Ｐを連結体２に固定させる固定バンド１０と、埋設電路設備Ｍの外側からノックアウトＮに掛け渡された支持板１３を連結体２に連繋して埋設電路設備Ｍの側壁を連結体２、支持板１３によって内外から挟み込む連繋手段１５とを備えることを特徴とする。
連結体２は、ノックアウトＮにおける埋設電路設備Ｍの内側からノックアウトＮの開口を覆うボックスベース３に、埋設電路設備Ｍに対して所定の角度で傾斜させて管路材Ｐを連結する傾斜連結部４と、埋設電路設備Ｍにおける側壁の内外面にほぼ平行させて傾斜連結部４に連続している支持固定部６と、この支持固定部６をボックスベース３に連続させている連続部７と、これらの傾斜連結部４、支持固定部６、連続部７の側部を閉塞している閉塞部８とを一体状に形成して構成することができる。
傾斜連結部４は、ボックスベース３に対してほぼ４５度の傾斜角度で連続していて、連結する管路材Ｐの外径に対応している筒状の挿通筒５を傾斜連結部４の外方に向けて一体状に設けて構成することができる。
支持固定部６は、ボックスベース３からノックアウトＮの深さに比し大きくはない間隔の位置に設けられて構成することができる。
固定バンド１０は、傾斜連結部４の挿通筒５の開口縁に沿って接続配置されたＣ字状に彎曲形成されていて、開口端縁には、対峙状に配されて相互間で締結される締結片１１を設けて構成することができる。
【０００９】
以上のように構成された本発明に係る埋設電路設備の管路材用取付装置にあって、例えば無電柱化の実施に際し、地下等に埋設されるケーブルトラフの如き埋設電路設備Ｍから需要家に各種のケーブルＣを引出配線し、挿通させる管路材Ｐを埋設電路設備Ｍに連結させる。すなわち、埋設電路設備Ｍにおける側壁に開口形成したノックアウトＮの内部に、管路材Ｐを係止連結する連結体２を配させ、この連結体２と、ノックアウトＮの外部に配した支持板１３とを連繋手段１５が連繋させることで埋設電路設備Ｍの側壁を挟み込み、管路材Ｐを埋設電路設備Ｍに固定させる。
埋設電路設備Ｍに固定させた連結体２の傾斜連結部４の挿通筒５に係止挿通させた管路材Ｐは固定バンド１０によって固定され、管路材Ｐ自体は埋設電路設備Ｍに対して所定の傾斜角度、例えば４５度で斜向配置され、埋設電路設備Ｍと需要家との間が狭隘な場所であっても管路材Ｐ自体及びケーブルＣを急激に曲げることなく需要家にケーブルＣを容易に引き込ませる。
埋設電路設備Ｍの内側からノックアウトＮの内部に配した連結体２の支持固定部６と、ノックアウトＮの外側に掛け渡して配置した支持板１３とを連繋する連繋手段１５は、埋設電路設備Ｍの側壁を内外で挟み込み、連結体２をノックアウトＮの内部に位置決め固定させ、連結体２の傾斜連結部４に係止連結した管路材Ｐを固定支持させる。
連結体２は、ボックスベース３、傾斜連結部４、支持固定部６、連続部７、閉塞部８によってボックス状の所定空間を形成し、管路材Ｐの挿通係止、ケーブルＣの通線、支持板１３との連繋等の各作業を行わせ、またノックアウトＮの内側からノックアウトＮを閉塞することで、埋設電路設備Ｍの外部からの土砂その他の侵入を阻止させる。
傾斜連結部４の挿通筒５の開口縁に沿って接続配置形成した固定バンド１０は、挿通筒５に挿通させた管路材Ｐを囲繞した状態で締結片１１によって固定させ、管路材Ｐの抜脱等を阻止し、斜向配置状態を維持させる。
【発明の効果】
【００１０】
本発明は以上説明したように構成されているため、無電柱化の整備に伴い地中に埋設される各種の埋設電路設備Ｍから需要家に対し各種のケーブルＣ等の引込工事を実施するに際し、埋設電路設備Ｍからの引込接続作業を簡単確実に施工でき、埋設電路設備Ｍの内部とは間隙を生じさせることなく確実に遮断できていることで、直ちに埋め戻し作業等を実施でき、接続工事の短縮化を図れる。
【００１１】
すなわちこれは本発明において、埋設電路設備Ｍの内側からノックアウトＮを閉塞してノックアウトＮの内部に配され、埋設電路設備Ｍに対して所定の角度で傾斜させた管路材Ｐを係止連結するボックス状の連結体２と、管路材Ｐを連結体２に固定させる固定バンド１０と、埋設電路設備Ｍの外側からノックアウトＮに掛け渡された支持板１３を連結体２に連繋して埋設電路設備Ｍの側壁を連結体２、支持板１３によって内外から挟み込む連繋手段１５とを備えたからである。これによって、斜向配置の管路材Ｐによる狭隘な場所での引込構造、ケーブルＣの引込部位の埋設電路設備Ｍの内外の遮断、連結作業完了後の埋め戻し作業を直ちに実施することの許容等によって全体工期の短縮化を可能にし、例えば夜間等の作業が短時間に実施されることの要請に対応でき、また狭隘な場所でも引込作業等を迅速に遂行できる。
【００１２】
また、ノックアウトＮの内部に配される連結体２は、埋設電路設備Ｍの内側に当接状に配されるボックスベース３、挿通筒５を有して傾斜している傾斜連結部４、埋設電路設備Ｍの内外面にほぼ平行配置される支持固定部６、支持固定部６からボックスベース３に連続させる連続部７、閉塞部８等で所定空間のボックス状に形成されているので、その空間内で管路材Ｐの連結、ケーブルＣの挿通等の作業を無理なく実施できる。
【００１３】
そればかりでなく、連結体２は埋設電路設備Ｍの内部を外部と遮断しているから、埋設電路設備Ｍの側壁の外側に配した支持板１３との連繋手段１５を介しての側壁を挟み込む連繋構成と相俟ち、埋設電路設備Ｍの外側で埋め戻される土砂等が埋設電路設備Ｍの内部に侵入することがない。しかも、従来のようにノックアウトＮとの間に生じた間隙を閉塞する詰め物を充填したり、詰め物が凝固するまでの間で管路材Ｐを仮固定したり、その凝固のために待機したりする必要がないから、作業時間を大幅に節減し、全体としての工期の短縮化を図ることができる。
【００１４】
連結体２の傾斜連結部４には、管路材Ｐを挿通させる挿通筒５が設けられ、この挿通筒５の開口縁に固定バンド１０が接続配置されていることで、挿通筒５に挿通させた管路材Ｐは傾斜連結部４の内縁で例えばブッシュ部材Ｂによって係止された状態で、固定バンド１０によって囲繞締結されるのであり、外部からの衝撃、土砂圧等によっても簡単には抜脱せず、確実に固定維持される。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための実施の形態における分解斜視図である。
【図２】同じくケーブルトラフである埋設電路設備の側壁に固定したときの断面図である。
【図３】同じく埋設電路設備におけるケーブルの引き出し、通線状態を示す平面図である。
【発明を実施するための形態】
【００１７】
以下、図面を参照して本発明を実施するための一形態を説明すると、図において示される符号１は本発明に係る取付装置であり、例えばハンドホール・マンホールの如き埋設ボックス等あるいはケーブルトラフ等の埋設配電路等の埋設電路設備Ｍにおいて、例えば需要家に電源、通信用等のケーブルＣ等を引き込むように埋設電路設備Ｍの側壁に開口形成されたノックアウトＮ部位に装着されることで、埋設電路設備Ｍから引き出されるケーブルＣを保護挿通する管路材Ｐの端部を固定支持する。
【００１８】
取付装置１は、埋設電路設備Ｍの内側からノックアウトＮを閉塞してノックアウトＮ内に配され、埋設電路設備Ｍに対して所定の角度で傾斜させた管路材Ｐを係止連結するボックス状の連結体２と、連結体２に連結された管路材Ｐを連結体２に固定させる固定バンド１０と、埋設電路設備Ｍの外側からノックアウトＮに掛け渡された支持板１３を連結体２に連繋して埋設電路設備Ｍの側壁を連結体２、支持板１３によって内外から挟み込む連繋手段１５とを備える。
【００１９】
連結体２は、ノックアウトＮにおける埋設電路設備Ｍの内側からノックアウトＮの開口を覆うボックスベース３に、埋設電路設備Ｍに対して所定の角度で傾斜させて管路材Ｐを連結する傾斜連結部４と、埋設電路設備Ｍの内外面にほぼ平行させて傾斜連結部４に連続している支持固定部６と、この支持固定部６をボックスベース３に連続させている連続部７と、これらの傾斜連結部４、支持固定部６、連続部７の側部を閉塞している閉塞部８とを一体状に形成することでボックス状を呈して成る。
【００２０】
この連結体２は、埋設電路設備Ｍの内側からノックアウトＮの内部に配置されることで、このノックアウトＮの内部に、埋設電路設備Ｍの外方と区画させて埋設電路設備Ｍの内側と連通させるよう、管路材Ｐ内に引き出すケーブルＣ等を挿通させて保護する管路材Ｐを連結させる空間を形成する。また、この連結体２によって、後述するように埋設電路設備Ｍ内に埋設箇所の土砂その他が埋設電路設備Ｍ内に侵入しないようにもしている。
【００２１】
ボックスベース３は、ノックアウトＮの開口全域を覆うようにノックアウトＮの周辺部の埋設電路設備Ｍの内側に当接される平板枠状を呈している所定肉厚の板材等によって形成されている。そして、傾斜連結部４、連続部７、閉塞部８を内側縁から一体状に連続させるほぼ矩形状の開口が、周囲の枠部分を除いた形態で形成されていて、ノックアウトＮの開口周辺部分を囲うようにしてノックアウトＮの開口を覆うようになっている。
【００２２】
傾斜連結部４は、例えば埋設電路設備Ｍに対してほぼ４５度の角度で埋設電路設備Ｍ内からケーブルＣを引き出すとき、ボックスベース３に対して同様にほぼ４５度の傾斜角度で連続している。この傾斜連結部４には、引き出したケーブルＣを挿通し保護する管路材Ｐが装入されるほぼ円形状の引出孔が開穿されており、この引出孔の周縁を基端とするほぼ筒状の挿通筒５を傾斜連結部４自体の外方に向けて一体状に設けてある。挿通筒５は、連結する管路材Ｐを装入させるように、その内径は管路材Ｐの外径に対応しており、管路材Ｐの管端に取り付けられるブッシュ部材Ｂが引出孔の開口縁に係止されるようになっている。なお、連結配置する管路材Ｐの斜交角度は４５度の傾斜角度に限らず、設置場所の状況によって対応できるよう、異なる傾斜角度とした傾斜連結部４を複数種類で形成しておくことも可能である。
【００２３】
支持固定部６は、ボックスベース３、前記支持板１３にほぼ平行状にしてノックアウトＮ内に位置するようにしてあり、ボックスベース３からは、ノックアウトＮの深さすなわち埋設電路設備Ｍの側壁の肉厚に比し大きくはない間隔の位置に設けられる。
【００２４】
連続部７は、前記傾斜連結部４に対向していて、傾斜連結部４と共に支持固定部６を位置決めしている。図示にあって、連続部７はボックスベース３に対しほぼ直角になっているも、場合によってはやや傾斜状に設けることも可能である。
【００２５】
閉塞部８は、ボックスベース３の一方からボックスベース３に順次に連続させて膨出状に配置して設けた傾斜連結部４、支持固定部６、連続部７によって形成された空隙の両側部を閉塞することで、ケーブルＣを引き出す所定の空間を形成する。図示にあっての閉塞部８自体は、傾斜縁を有するほぼ台形状を呈している。
【００２６】
また、前記固定バンド１０は、傾斜連結部４における挿通筒５に例えば接続片９によって接続された所定幅員の帯状材によって、挿通筒５の径とほぼ同様な径をするＣ字状に彎曲形成されていて、挿通筒５の開口縁に沿って配置されている。固定バンド１０の開口端縁には、対峙状に配されて相互間で例えばボルト・ナット（ネジ孔）等によってねじ止め１２される締結片１１を設けてあり、挿通筒５に挿通させた管路材Ｐを囲繞し締結することで傾斜連結部４に固定連結できるようにしている。
【００２７】
支持板１３は、ノックアウトＮ内に配された連結体２における支持固定部６にほぼ平行に配されて、埋設電路設備Ｍの側壁の外側でノックアウトＮの開口部分に掛け渡すようにして配される所定肉厚のほぼ矩形板状に形成されている。場合によっては、挿通筒５に挿通された管路材Ｐに側縁が当接するのを防止するため、図示のように側縁の一部を円弧状に切除しておくこともある。
【００２８】
連繋手段１５は、連結体２の支持固定部６と支持板１３とを例えばボルト・ナット（メネジ孔）によってねじ止め連繋するようにして成り、必要があればボルトは支持固定部６の内側から外方への突出状態にして固定しておくこともある。
【００２９】
次に以上の実施の形態における使用の一例を説明すると、例えばケーブルトラフの如き埋設電路設備Ｍにおいて、必要とする需要家への引込箇所に相当する埋設電路設備Ｍの側壁におけるノックアウトＮを開口させ、このノックアウトＮの内側から連結体２を嵌め合わせてボックスベース３をノックアウトＮの周縁にベースパッキン材２１を挟んだ状態で当接させておく。
【００３０】
その一方、連結体２における支持固定部６に埋設電路設備Ｍの内外方向に沿って挿通させた連繋手段１５のボルトによって、埋設電路設備Ｍの外側に配した支持板１３をねじ止めして埋設電路設備Ｍの側壁の内外で挟み込むことで連結体２をノックアウトＮ内に配置固定する。
【００３１】
また、埋設電路設備Ｍに対して斜交して配置される挿通筒５に例えば螺旋管等の管路材Ｐを挿通させると共に、連結体２の内側で管路材Ｐに嵌め合わせ取り付けたブッシュ部材Ｂを挿通筒５の内側の開口縁に係止させ、固定バンド１０によって管路材Ｐをループ状の例えばゴム製の管路パッキン材２２を挟み込んで連結体２に固定する。
【００３２】
次いで、管路材Ｐ中に引込通線する所定のケーブルＣを埋設電路設備Ｍ内の所定のケーブルＣと接続するのであり、こうすることで需要家に対する引込箇所における接続は完了する。埋設電路設備Ｍの内側では連結体２のボックスベース３がノックアウトＮを覆い、また挿通筒５に管路材Ｐが連結されていることで連結体２の内部は外部と隙間なく遮断されているから、例えば詰め物等による充填作業を要せずにそのまま埋め戻しても土砂等が侵入せず、工期を短縮化できる。
【符号の説明】
【００３３】
Ｂ…ブッシュ部材
Ｃ…ケーブル
Ｎ…ノックアウト
Ｍ…埋設電路設備
Ｐ…管路材
１…取付装置
２…連結体
３…ボックスベース
４…傾斜連結部
５…挿通筒
６…支持固定部
７…連続部
８…閉塞部
９…接続片
１０…固定バンド
１１…締結片
１２…ねじ止め
２１…ベースパッキン材
２２…管路パッキン材
【図１】
2020178397.tif 000003
【図２】
2020178397.tif 000004
【図３】
2020178397.tif 000005